(57)【要約】【課題】チルト角調整機能を有するディスク記録／再生装置において、従来よりも起動時間を短縮する。【解決手段】本発明に係るディスク記録／再生装置において、制御回路７は、光ピックアップ３を一方向へ移動させる第１移送過程で所定の２位置にて光ピックアップ３からディスク信号面までの距離データを測定し、これによって得られた２つの距離データに基づいてディスク１の反り量を算出し、その算出結果が所定の閾値未満のときには、その算出結果に応じてチルト角の調整を実行する。一方、その算出結果が所定の閾値以上のときには、光ピックアップ３を更に逆方向に移動させる第２移送過程で所定の複数位置にて距離データを測定し、第１移送過程及び第２移送過程で得られた３以上の距離データに基づいてディスク１の反り量を算出し、その算出結果に応じてチルト角の調整を実行する。【選択図】図１
2007250049.tif 000002
【特許請求の範囲】
【請求項１】
回転するディスク(１)を対象として信号の記録及び／又は再生を行なう光ピックアップ(３)を具えて、該光ピックアップ(３)をディスク(１)の半径線に沿って往復移動させるピックアップ機構(４)と、該ピックアップ機構(４)の動作を制御する制御回路(７)とを具え、該制御回路(７)は、ディスク(１)の反り量に応じて光ピックアップ(３)のチルト角を調整するチルト角調整機能を有しているディスク記録／再生装置において、
前記制御回路(７)は、光ピックアップ(３)をディスク半径線に沿って一方向へ移動させる第１移送過程で所定の２位置にて光ピックアップ(３)からディスク信号面までの距離に応じた距離データを測定し、該第１移送過程で得られた２つの距離データに基づいてディスク(１)の反り量を算出し、その算出結果が所定の閾値未満のときには、その算出結果に応じてチルト角の調整を実行し若しくはチルト角の調整を省略する一方、その算出結果が所定の閾値以上のときには、光ピックアップ(３)を更に前記第１移送過程とは逆方向に移動させる第２移送過程で前記所定の２位置とは異なる所定の１或いは複数の位置にて距離データを測定し、第１移送過程及び第２移送過程で得られた３以上の距離データに基づいてディスク(１)の反り量を算出し、その算出結果に応じてチルト角の調整を実行することを特徴とするディスク記録／再生装置。
【請求項２】
前記制御回路(７)は、前記第１移送過程では、ディスク(１)の半径線に沿う光ピックアップ(３)の移動範囲の始端側と終端側の２位置にて距離データを測定する一方、前記第２移送過程では、前記２位置に挟まれた複数の位置にて距離データを測定する請求項１に記載のディスク記録／再生装置。
【請求項３】
前記制御回路(７)は、距離データの測定において光ピックアップ(３)をフォーカス方向に駆動するフォーカスドライブ電圧を検知し、該電圧に光ピックアップ(３)の感度を乗算することによって距離データを算出する請求項１又は請求項２に記載のディスク記録／再生装置。
【発明の詳細な説明】
【技術分野】
【０００１】
本発明は、回転するディスクの半径線に沿って光ピックアップを往復移動させて信号の記録及び／又は再生を行なうディスク記録／再生装置に関するものである。
【背景技術】
【０００２】
従来、ディスク記録／再生装置においては、粗悪な品質のディスクであっても信号の記録及び再生を可能とするべく、ディスクの反り量に応じて光ピックアップのチルト角を調整するチルト角調整機能を有するものが提案されている(特許文献１等)。
【０００３】
チルト角の調整においては、ディスクに対する信号の記録又は再生に際して、図４に示す如く光ピックアップをディスク(１)の内周側の始端から外周側の終端まで移動させる第１移送過程と、第１移送過程に続いて光ピックアップをディスク(１)の外周側の終端から内周側の始端に復帰させる第２移送過程が実施され、第１移送過程の複数の位置(Ｐ１〜Ｐ６)にて、光ピックアップからディスク(１)の信号面までに距離に応じた距離データを測定し、該第１移送過程で得られた複数(例えば６つ)の距離データに基づいてディスク(１)の反り量を算出し、その算出結果に応じて、光ピックアップのチルト角を調整する動作が行なわれる。
【特許文献１】特開２００１−１９５７６３号公報［G11B7/095］
【発明の開示】
【発明が解決しようとする課題】
【０００４】
しかしながら、従来のディスク記録／再生装置におけるチルト角調整動作においては、ディスクの反り量の大小に拘わらず、光ピックアップを移動させつつ複数位置にて距離データの測定が行なわれるため、その測定時間だけディスクに対する信号の記録又は再生の開始が遅れることとなり、起動時間が長くなる問題があった。
そこで本発明の目的は、従来よりも起動時間を短縮することが出来るディスク記録／再生装置を提供することである。
【課題を解決するための手段】
【０００５】
本発明に係るディスク記録／再生装置は、回転するディスク(１)を対象として信号の記録及び／又は再生を行なう光ピックアップ(３)を具えて、該光ピックアップ(３)をディスク(１)の半径線に沿って往復移動させるピックアップ機構(４)と、該ピックアップ機構(４)の動作を制御する制御回路(７)とを具え、該制御回路(７)は、ディスク(１)の反り量に応じて光ピックアップ(３)のチルト角を調整するチルト角調整機能を有している。
【０００６】
ここで、制御回路(７)は、光ピックアップ(３)をディスク半径線に沿って一方向に移動させる第１移送過程で所定の２位置にて光ピックアップ(３)からディスク信号面までの距離に応じた距離データを測定し、該第１移送過程で得られた２つの距離データに基づいてディスク(１)の反り量を算出し、その算出結果が所定の閾値未満のときには、その算出結果に応じてチルト角の調整を実行し若しくはチルト角の調整を省略する一方、その算出結果が所定の閾値以上のときには、光ピックアップ(３)を前記第１移送過程とは逆方向に移動させる第２移送過程で前記所定の２位置とは異なる１或いは複数の位置にて距離データを測定し、第１移送過程及び第２移送過程で得られた３以上の距離データに基づいてディスク(１)の反り量を算出し、その算出結果に応じてチルト角の調整を実行する。
【０００７】
具体的構成において、前記制御回路(７)は、前記第１移送過程では、ディスク(１)の半径線に沿う光ピックアップ(３)の移動範囲の始端側と終端側の２位置にて距離データを測定する一方、前記第２移送過程では、前記２位置に挟まれた複数の位置にて距離データを測定する。
又、前記制御回路(７)は、距離データの測定において光ピックアップ(３)をフォーカス方向に駆動するフォーカスドライブ電圧を検知し、該電圧に光ピックアップ(３)の感度を乗算することによって距離データを算出する。
【０００８】
上記本発明のディスク記録／再生装置においては、信号の記録又は再生に際して信号の記録又は再生を行なうべきディスク(１)を対象として、第１移送過程と第２移送過程が実施され、その過程で複数の距離データが測定されて、その測定結果に基づいてディスク(１)の反り量が算出され、その結果に応じて光ピックアップ(３)のチルト角が調整される。
【０００９】
反りの大きなディスク(１)については、第１移送過程で得られる２つの距離データに基づく反り量の算出結果が所定の閾値以上となるため、更に第２移送過程で距離データが測定され、第１移送過程及び第２移送過程で得られた３つ以上の距離データに基づいてディスク(１)の反り量が算出される。
これに対し、反りの小さなディスク(１)については、第１移送過程で得られる２つの距離データに基づく反り量の算出結果が所定の閾値未満となるため、第２移送過程での距離データの測定が省略され、第１移送過程で得られた２つの距離データのみに基づいてディスク(１)の反り量が算出される。この場合、ディスク(１)の反り量の算出に用いられる距離データは２つに過ぎないが、算出せんとする反り量自体が小さいために、反り量の算出には充分に高い精度が得られる。
そして、ディスク(１)の反り量の算出結果に応じてチルト角の調整が実行される。
【発明の効果】
【００１０】
本発明に係るディスク記録／再生装置においては、反りの大きなディスクについては従来と同様に３位置以上で距離データが測定されることになるが、反りの小さなディスクについては２位置で距離データが測定されるに過ぎないので、反りの大小に拘わらず３位置以上で距離データが測定されていた従来の装置に比べて、チルト角の調整に必要な時間が短縮され、迅速な起動が実現される。
【発明を実施するための最良の形態】
【００１１】
以下、本発明を光学式ディスクプレーヤに実施した形態につき、図面に沿って具体的に説明する。
本発明に係るディスクプレーヤは、図１に示す如く、ディスク(１)を回転駆動するスピンドルモータ(２)と、回転するディスク(１)の半径線に沿って往復移動してディスク(１)から信号を再生する光ピックアップ(３)を具えたピックアップ機構(４)と、ピックアップ機構(４)に駆動信号を供給するドライバ(８)と、光ピックアップ(３)によってディスク(１)から読み出される信号を増幅するＲＦアンプ(５)と、増幅された信号にデコードを施すデコーダ部と各種のサーボ動作を実行してドライバ(８)へ制御信号を供給するサーボ部を有するＤＳＰ(６)と、ＲＦアンプ(５)及びＤＳＰ(６)の動作を制御するマイクロコンピュータからなる制御回路(７)とを具えている。
【００１２】
ピックアップ機構(４)は、ディスク(１)の反り量に応じて光ピックアップ(３)のチルト角を調整することが可能であって、制御回路(７)によってチルト角調整に必要なディスク(１)の反り量が算出される。
【００１３】
図２はディスク(１)の反り量を算出するための距離データの測定手続きを表わし、図３(ａ)(ｂ)は、光ピックアップの移動に伴う距離データ測定シーケンスを示している。
ディスク(１)から信号を再生すべきユーザ操作に応じて、先ず、ディスク内周側の移動端の近傍位置Ｐ１からディスク外周側の移動端の近傍位置Ｐ６まで光ピックアップ(３)を移動させる第１移送過程が実施された後、前記位置Ｐ６から、ディスク内周側へ略等間隔でずれた位置Ｐ５、Ｐ４、Ｐ３、Ｐ２を経て、前記位置Ｐ１に復帰させる第２移送過程が実施され、この過程で、光ピックアップ(３)からディスク(１)の信号面までの距離に応じた距離データが測定される。
尚、距離データは、光ピックアップ(３)をフォーカス方向に駆動するフォーカスドライブ電圧に光ピックアップ(３)の感度を乗算することによって算出される。
【００１４】
先ず第１移送過程においては、図２のステップＳ１にて測定位置Ｐ１での距離データの測定を行なった後、ステップＳ２にて測定位置Ｐ６での距離データの測定を行ない、ステップＳ３では、これら２つの距離データの測定結果に基づいてディスク(１)の反り量を計算する。
例えば図５の如く測定位置Ｐ１から測定位置Ｐ６までの距離がＢ、測定位置Ｐ１と測定位置Ｐ６におけるフォーカスドライブ電圧の差がＡ、光ピックアップ(３)の感度がＣの場合、ディスク(１)の傾斜角度θは、次式によって得られる。
θ＝ｔａｎ−１(Ａ×Ｃ／Ｂ)
そこで、このディスク(１)の傾斜角度θをディスク(１)の反り量として、ディスク(１)の反りの大小を判別することが出来る。
【００１５】
図２のステップＳ４では、ディスクの傾斜角度が所定の閾値(例えば±０.４°)よりも小さいか否かを判断し、ここでイエスと判断されたときは、ステップＳ９に移行し、光ピックアップをディスクの最内周端へ移動させて、測定を終了する。
そして、上述の様にして算出されたディスク(１)の反り量に応じて光ピックアップ(３)のチルト角の調整を実行する。
【００１６】
一方、ステップＳ４にてノーと判断されたときは、第２移送過程に移行し、ステップＳ５にて測定位置Ｐ５での距離データの測定、ステップＳ６にて測定位置Ｐ４での距離データの測定、ステップＳ７にて測定位置Ｐ３での距離データの測定、ステップＳ８にて測定位置Ｐ２での距離データの測定を行なった後、ステップＳ９に移行し、光ピックアップをディスクの最内周端へ移動させて、測定を終了する。
【００１７】
そして、上述の様にして第１移送過程及び第２移送過程で得られた６つの距離データに基づいてディスク(１)の反り量を算出し、その算出結果に応じて光ピックアップ(３)のチルト角の調整を実行する。
尚、６つの距離データに基づいてディスク(１)の反り量を算出する方法としては、周知の種々の方法を採用することが出来、ディスク(１)の反りを直線近似する方式のみならず、例えば２次曲線近似する方式等を採用することも可能である。
【００１８】
ディスク(１)の反り量に応じた光ピックアップ(３)のチルト角の調整においては、図１の制御回路(７)によってディスク(１)の反り量に応じたチルト角調整値を算出し、そのデータをＤＳＰ(６)のＤ／Ａポートへ出力する。この結果、ＤＳＰ(６)からドライバ(８)へチルト角調整信号が供給され、これに応じてピックアップ機構(４)が駆動されて、光ピックアップ(３)のレンズが傾斜し、チルト角が調整されることになる。
【００１９】
上述の如く本発明に係るディスクプレーヤによれば、ディスク(１)の反りが大きい場合は、図３(ｂ)に示す様に、第１移送過程では位置Ｐ１と位置Ｐ６にて、第２移送過程では位置Ｐ５、Ｐ４、Ｐ３及びＰ２にて、距離データが測定されるので、測定回数としては、図４に示す従来の測定と同じ６回であるが、反りの小さなディスク(１)については、図３(ａ)に示す様に、第１移送過程の位置Ｐ１と位置Ｐ６で距離データが測定されるに過ぎず、第２移送過程では距離データの測定が省略されるので、従来よりも４回だけ測定回数が少なくなる。この結果、測定に必要な時間が短縮され、迅速な起動が実現される。
尚、ディスク(１)の反りが小さい場合の反り量の算出に用いられる距離データは２つに減少するが、算出せんとする反り量自体が小さいために、反り量の算出には充分に高い精度が得られることになる。
【図面の簡単な説明】
【００２０】
【図１】本発明に係るディスクプレーヤの構成を示すブロック図である。
【図２】該ディスクプレーヤにおける距離データ測定手続きを示すフローチャートである。
【図３】該ディスクプレーヤにおける距離データ測定シーケンスを説明する図である。
【図４】従来のディスクプレーヤにおける距離データ測定シーケンスを説明する図である。
【図５】ディスクの反り量を算出する方法を説明する図である。
【符号の説明】
【００２１】
(１)  ディスク
(２)  スピンドルモータ
(３)  光ピックアップ
(４)  ピックアップ機構
(５)  ＲＦアンプ
(６)  ＤＳＰ
(７)  制御回路
(８)  ドライバ
【図１】
2007250049.tif 000003
【図２】
2007250049.tif 000004
【図３】
2007250049.tif 000005
【図４】
2007250049.tif 000006
【図５】
2007250049.tif 000007